(57)【特許請求の範囲】
【請求項１】
下枠の走行レール部に沿って、障子下框に設けられた戸車を介して左右にスライドする内外障子を有する外部開口用サッシであって、
前記下枠には、基板部からそれぞれ立ち上がる、外障子走行レールと、内障子走行レールと、室内側立上がり片とが形成され、さらに、タイト材保持部を有し、
内障子の下框には、内障子室外側垂下片と、内障子室内側垂下片が形成され、  
外障子の下框には、外障子室外側垂下片と、外障子室内側垂下片が形成され、
前記外障子室外側垂下片の室内側に位置し、かつ内外方向のタイト材保持片部に設けられた室外側下枠タイト材と、外障子室内側垂下片の室内側面とが摺接関係にあり、
前記室内側立上がり片の室外面に設けられた室内側下枠タイト材と、内障子室内側垂下片の室内側面とが摺接関係にあり、
前記内障子室外側垂下片の室内側に水返しフィン材を設け、水返しフィン材と前記内障子走行レールの室外面に隙間を設け、
前記外障子の召し合せ框の室内面と前記内障子の召し合せ框の室外面との間が、前記内障子の召し合せ框の室外面に設けられた前記外障子召し合せ框の室内面に摺接する縦タイト材をシール手段としてシールされており、並びに、前記外障子の召し合せ框の室内面の下部と前記内障子の召し合せ框の室外面の下部及び前記内障子走行レールの室外面との間が、前記縦タイト材の下部の内側に設けられた前記下枠と前記外障子召し合せ框と摺接する気密ブロックをシール手段としてシールされており、
前記内障子走行レールの召し合せ框側位置であり、かつ内外障子が閉止状態基準で、外気に直接臨む位置において、前記内障子走行レールに形成された内レール水抜き孔と、実質的に同位置において、前記タイト材保持片部を貫通して形成された下方水抜き孔と、前記内レール水抜き孔及び前記下方水抜き孔を共通的に室外側から覆う水抜き孔カバーとを有する、
ことを特徴とする外部開口用サッシ。
【請求項２】
外障子室外側垂下片の室内側に水返しフィン材を設け、水返しフィン材と外障子走行レールの室外面に隙間を設けた請求項１記載の外部開口用サッシ。
【請求項３】
外障子召し合せ框の室内面には、煙返しを形成し、
内障子召し合せ框には、外障子召し合せ框の室内面に摺接する堅タイト材と、その内側に下枠と外障子召し合せ框と摺接する気密ブロックと、その内側に外障子召し合せ框の煙返しと係合する煙返しと、圧力緩衝空間を有する中空部を形成したことを特徴とする請求項１または２記載の外部開口用サッシ。
【請求項４】
前記下枠に切欠部を形成し、前記切欠部が前記圧力緩衝空間を有する中空部の鉛直下方に形成されていることを特徴とする請求項３記載の外部開口用サッシ。
【発明の詳細な説明】
【技術分野】
【０００１】
本発明は、外部開口用サッシの水密構造に関し、詳しくは、引き違いサッシ、片引きサッシ、引き分けサッシの水密構造に関するものである。
【背景技術】
【０００２】
内障子、外障子、窓ガラスに吹き付けられた雨水等が、下枠の内外障子走行レール部の上面まで侵入し、内外障子走行レール部の上面を乗り越え室内側ガイド溝に侵入することを防止するために、下枠の内外障子走行レールの室外側に内外障子の下框に内外障子走行レール部上面より下方まで延びる垂下片を形成し、垂下片に横タイトを設け下枠の内外障子走行レールに摺接させ、中間圧空間を形成した外部開口用サッシが知られている。（例えば、特許文献１参照）
また、内外障子走行レール部上面を乗り越えガイド溝に侵入した雨水を排出するために、内外障子走行レール部の下部及び室外側ガイド溝の底部に水抜き孔を形成し、ガイド溝に侵入した雨水を当該水抜き孔から下枠の中空部に排出し、下枠の排水口から室外側外部に排出する外部開口用サッシが知られている。（例えば、特許文献２参照）
さらに、引き違い障子の内障子の召し合せ框の室外面を伝わって、内障子の召し合せ框の室外面と外障子の召し合せ框の室内面との間から侵入しようとする雨水に対しては、一般的に、内障子の召し合せ框の室外面と外障子の召し合せ框の室内面との間に縦タイト材を取付けて、この縦タイト材によりこれらの間を密接して水密性や気密性を確保し、雨水の室内への侵入を防止した外部開口用サッシが知られている。（例えば、特許文献３参照）
【特許文献１】特開平１１−２８０３５４号公報
【特許文献２】特開２００４−２７０４４１号公報
【特許文献３】特開２０００−８７２９号公報
【発明の開示】
【発明が解決しようとする課題】
【０００３】
しかしながら、台風のような暴風時には、暴風により巻き上げられた雨水等が内外障子の下框の垂下片と内外障子走行レールの隙間から内外障子走行レールの上面まで侵入し、室外側の気圧より低く、室内側の気圧より高い中間圧空間まで雨水等が浸入する虞がある。
また、台風のような暴風時には、雨水等が内外障子走行レール部の下部に形成された水抜き孔を侵入し室外側溝まで侵入する虞がある。
さらに、引き違い障子の開閉等により縦タイト材にへたりが生じてしまうため、この経年変化により、引き違い障子の内障子の召し合せ框の室外面を伝わって室内に侵入しようとする雨水を十分に止水できない虞がある。そして、長期にわたって止水性を確保するためには、縦タイト材を頻繁に交換する必要もあった。
【０００４】
そこで、本発明の主たる課題は、台風のような暴風時においても水密性及び気密性の高い外部開口用サッシの障子の水密構造を提供することにある。
【課題を解決するための手段】
【０００５】
上記課題を解決した本発明は、次のとおりである。
＜請求項１記載の発明＞
請求項１記載の発明は、下下枠の走行レール部に沿って、障子下框に設けられた戸車を介して左右にスライドする内外障子を有する外部開口用サッシであって、
前記下枠には、基板部からそれぞれ立ち上がる、外障子走行レールと、内障子走行レールと、室内側立上がり片とが形成され、さらに、タイト材保持部を有し、
内障子の下框には、内障子室外側垂下片と、内障子室内側垂下片が形成され、  
外障子の下框には、外障子室外側垂下片と、外障子室内側垂下片が形成され、
前記外障子室外側垂下片の室内側に位置し、かつ内外方向のタイト材保持片部に設けられた室外側下枠タイト材と、外障子室内側垂下片の室内側面とが摺接関係にあり、
前記室内側立上がり片の室外面に設けられた室内側下枠タイト材と、内障子室内側垂下片の室内側面とが摺接関係にあり、
前記内障子室外側垂下片の室内側に水返しフィン材を設け、水返しフィン材と前記内障子走行レールの室外面に隙間を設け、
前記外障子の召し合せ框の室内面と前記内障子の召し合せ框の室外面との間が、前記内障子の召し合せ框の室外面に設けられた前記外障子召し合せ框の室内面に摺接する縦タイト材をシール手段としてシールされており、並びに、前記外障子の召し合せ框の室内面の下部と前記内障子の召し合せ框の室外面の下部及び前記内障子走行レールの室外面との間が、前記縦タイト材の下部の内側に設けられた前記下枠と前記外障子召し合せ框と摺接する気密ブロックをシール手段としてシールされており、
前記内障子走行レールの召し合せ框側位置であり、かつ内外障子が閉止状態基準で、外気に直接臨む位置において、前記内障子走行レールに形成された内レール水抜き孔と、実質的に同位置において、前記タイト材保持片部を貫通して形成された下方水抜き孔と、前記内レール水抜き孔及び前記下方水抜き孔を共通的に室外側から覆う水抜き孔カバーとを有する、
ことを特徴とする外部開口用サッシである。
【０００６】
（作用効果）
内障子の下框には、内障子室外側垂下片が形成されていることから、内障子、外障子、窓ガラスに吹き付けられた雨水の内障子走行レールの上部への侵入を防止し、水密性能を向上させる。
また、外障子の下框には、外障子室外側垂下片が形成されていることから、内障子、外障子、窓ガラスに吹き付けられた雨水の内障子走行レールの上部への侵入を防止し、水密性能を向上させる。
さらに、内障子室外側垂下片及び外障子室外側垂下片が形成されているので、室外側から内外障子下框の底部と内外障子走行レールの上部との隙間に、バール等を差し込み、内外障子が外される危険もない。
【０００７】
タイト材保持片部に設けられた室外側下枠タイト材と、外障子室内側垂下片の室内側面とが摺接関係にあることから、タイト材保持片部の下方の室外側空間に貯まった雨水の室内への侵入を防止し、水密性能及び気密性能を向上させる。
室内側立上がり片の室外面に設けられた室内側下枠タイト材と、内障子室内側垂下片の室内側面とが摺接関係にあることから、室内側溝に貯まった雨水の室内への侵入を防止し、水密性能及び気密性能を向上させる。
【０００８】
内障子室外側垂下片の室内側に水返しフィン材を設けていることから、暴風により巻き上げられた雨水を室外部に雨返しすることができ、内障子走行レールの上部への侵入を防止し、水密性能を向上させる。
また、水返しフィン材と内障子走行レールの室外面に隙間を設けていることから、室内側立上がり片の室外面に設けられた室内側下枠タイト材を内障子室内側垂下片の室内側面に摺接した室内側溝と、それに連ながる内障子走行レールの上部の空間を等圧空間にすることができ、暴風により巻き上げられた雨水の内障子走行レールの上部の空間、室内側溝への侵入を防止し、水密性能を向上させる。
さらに、水返しフィン材と内障子走行レールの室外面に隙間を設けていることから、水返しフィン材と内障子走行レールの室外面に摺接せず、内障子の開閉時の摺動抵抗の増加を防止することができる。
外障子の召し合せ框の室内面と前記内障子の召し合せ框の室外面との間、並びに、前記内障子の召し合せ框の下部と前記内障子走行レールの室外面との間が、シール手段によりシールされていることから、外障子の召し合せ框の室内面と前記内障子の召し合せ框の室外面との空間に入り込んだ雨水の室内への侵入を防止し、水密性能及び気密性能を向上させる。
内障子走行レールに形成された内レール水抜き孔と、タイト材保持片部を貫通して形成された下方水抜き孔とを共通的に室外側から覆う水抜き孔カバーを設けていることから、室外から内障子走行レールに形成された内レール水抜き孔から室内側溝への雨水の侵入を防止し、水密性能を向上させる。
また、室内側溝に侵入した雨水は、内障子走行レールに形成された内レール水抜き孔、タイト材保持片部に形成された下方水抜き孔を通り、排水孔から室外に排出される。
【０００９】
＜請求項２記載の発明＞
請求項２記載の発明は、外障子室外側垂下片の室内側に水返しフィン材を設け、水返しフィン材と外障子走行レールの室外面に隙間を設けた請求項１記載の外部開口用サッシである。
【００１０】
（作用効果）
外障子室外側垂下片の室内側に水返しフィン材を設けていることから、暴風により巻き上げられた雨水を室外部に雨返しすることができ、外障子走行レールの上部への侵入を防止し、水密性能を向上させる。
また、水返しフィン材と外障子走行レールの室外面に隙間を設けていることから、タイト材保持片部に設けられた室外側下枠タイトを外障子室内側垂下片の室内側面に摺接した室外空間と、それに連ながる外障子走行レールの上部の空間を等圧空間にすることができ、暴風により巻き上げられた雨水の外障子走行レールの上部の空間、室内側溝への侵入を防止し、水密性能を向上させる。
さらに、水返しフィン材と外障子走行レールの室外面に隙間を設けていることから、水返しフィン材と外障子走行レールの室外面に摺接せず、外障子の開閉時の抵抗の増加を防止することができる。
【００１１】
【００１２】
【００１３】
＜請求項３記載の発明＞
請求項３記載の発明は、外障子召し合せ框の室内面には、煙返しを形成し、
内障子召し合せ框には、外障子召し合せ框の室内面に摺接する堅タイト材と、その内側に下枠と外障子召し合せ框と摺接する気密ブロックと、その内側に外障子召し合せ框の煙返しと係合する煙返しと、圧力緩衝空間を有する中空部を形成したことを特徴とする請求項１または２記載の外部開口用サッシである。
【００１４】
（作用効果）
内障子召し合せ框には、外障子召し合せ框の室内面に摺接する堅タイト材を設けていることから、外障子召し合せ框と、内障子召し合せ框との間に侵入した雨水の室内側への侵入を防止し、水密性能を向上させる。
【００１５】
内障子召し合せ框には、堅タイト材の内側に下枠に当接し、且つ、外障子召し合せ框と摺接する気密ブロックを設けていることから、外障子召し合せ框と、内障子召し合せ框との間に侵入し、外障子召し合せ框と、内障子召し合せ框との間に貯まった雨水の室内側への侵入を防止し、水密性能を向上させる。
また、気密ブロックは、外側中空部の下部にのみ設けられ外障子召し合せ框の室内面の下部にのみ摺接することから、内障子、外障子の開閉時の摺動抵抗の増加を防止することができる。
【００１６】
内障子召し合せ框には、気密ブロックの内側に外障子召し合せ框の煙返しと係合する煙返しを形成していることから、内障子、外障子に加わる外部からの風圧に耐えることができる。
【００１７】
内障子召し合せ框には、気密ブロックの内側に圧力緩衝空間を有する中空部を形成していることから、外障子召し合せ框と、内障子召し合せ框との間に侵入した雨水の室内側への侵入を防止し、水密性能をより一層向上させる。
すなわち、外障子召し合せ框の室内面に摺接する堅タイト材と、外障子召し合せ框の室内面、外障子召し合せ框の室外面からなる等圧空間に加え、気密ブロックの内側に室外部と連通する切欠部が設けた圧力緩衝空間を有する中空部を配置することにより、召し合せ框の間に大きな等圧空間を設けることができる。この大きな等圧空間内で外障子召し合せ框と、内障子召し合せ框との間に侵入した雨水は、運動エネルギーを失い、全て自然落下し等圧空間内に貯まり室外に排出される。
【００１８】
【００１９】
【００２０】
＜請求項４記載の発明＞
前記下枠に切欠部を形成し、前記切欠部が前記圧力緩衝空間を有する中空部の鉛直下方に形成されていることを特徴とする請求項３記載の外部開口用サッシ。
【００２１】
（作用効果）
下枠の切欠部が圧力緩衝空間を有する中空部の鉛直下方に形成されていることから、切欠部を介し、外気と中空部の内部を確実に連通することができ、中空部の圧力緩衝空間の
内圧をより外気圧と等圧にすることができる。
【発明の効果】
【００２２】
本発明によれば、台風のような暴風時においても高い水密性能を有する外部開口用サッシを提供することができる。
【００２３】
以下、本発明の実施の形態を説明する。
図１は、外部開口用サッシにおける引き違いサッシ（引き違い障子）の縦断面図であり、図２は、同引き違いサッシの下部拡大縦断面図であり、図３は、、同引き違いサッシの横断面図である。
【００２４】
（窓枠、外内障子）
図１及び図３に示すように、外部開口用サッシの窓枠１は、上枠２０と、下枠３０と、左右の竪枠４０ａ、４０ｂとを四周枠組みして構成されており、外部開口用サッシサッシの窓枠１に外障子２と、内障子３とを引き違い状に備えている。
【００２５】
外障子２は、上框５０ａと、下框６０ａと、戸先框７０ａと、召し合せ框８０ａとを四周框組みした框内にガラスパネル４ａを嵌め込んで形成してあり、同様に内障子３も上框５０ｂと、下框６０ｂと、戸先框７０ｂと、召し合せ框８０ｂとを四周框組みした框部にガラスパネル４ｂを嵌め込んで形成してある。
そして、内外障子１，２は、内外障子１，２を閉じた際に、それそれの召し合せ框８０ａ、８０ｂ間に設けたクレセント（図示省略）により施錠される。
【００２６】
図１に示すように、上枠２０は、外側基板２１と、室外側から順に、室外側垂下片２５と、中間垂下片２３と、室内側垂下片２２とから形成されている。
【００２７】
室外側垂下片２５は外障子２の上端部と係合し、外側基板２１と、中間垂下片２３と、室内側垂下片２２とからなる内障子走行溝２４には内障子３の上端部が挿嵌されている。
従って、外障子２は室外側垂下片２５をスライドし、内障子３は内障子走行溝２４をスライドすることにより自由に開閉できる。
【００２８】
室内側垂下片２２の下部の室外面には、左右方向に上枠タイト材ホルダー２６ａを形成し、上枠タイト材２６ｂを取付けている。上枠タイト材２６ｂは、内障子３の上框５０ｂの室内側立上がり片５２ｂの室内面に摺接する。
従って、内障子３と上枠２０とは上枠タイト材２６ｂにより水密ラインを形成し、室外の雨水等の室内への浸透を防止する。
【００２９】
中間垂下片２３の下部の室外面には、左右方向に上枠タイト材ホルダー２７ａを形成し、上枠タイト材２７ｂを取付けている。上枠タイト材２７ｂは、外障子２の上框５０ａの室内側立上がり片５２ａの室内面に摺接する。
従って、外障子２と上枠２０とは上枠タイト材２７ｂにより水密ラインを形成し、室外の雨水等の室内への浸透を防止する。  
【００３０】
（水切りフィン）
図１及び図２に示すように、下枠３０は、基板部３１と、室外側から順に、外障子走行レール３２と、内障子走行レール３３と、室内側立上がり片３４とから形成されており、さらに内障子走行レール３３には、室外側に延在するタイト材保持部３５が形成されている。
【００３１】
外障子レール３２上に位置する外障子２の下框６０ａの垂下片５３ａには戸車６６ａが、内障子走行レール３３上に位置する内障子３の下框６０ｂの垂下片５３ｂには戸車６６ｂが取付けられている。
従って、外障子２は外障子レール３２上をスライドし、内障子３は内障子走行レール３３上をスライドすることにより自由に開閉できる。
【００３２】
室内側立上がり片３４の上部の室外面には、左右方向に室内側下枠タイト材ホルダー３６ａを形成し、室内側下枠タイト材３６ｂを取付けている。室内側下枠タイト材３６ｂは、内障子３の下框６０ｂの室内側垂下片６３ｂの室内面に摺接する。
従って、内障子３と下枠３０とは室内側下枠タイト材３６ｂにより水密ラインを形成し、室外の雨水等の室内への浸透を防止する。
【００３３】
内障子３の下框６０ｂの室外側垂下片６３ｂの室内面には、水切りフィン材ホルダー６４ｂを形成し、水切りフィン材６５ｂが取付けられ、水切りフィン材６５ｂの先端と内障子走行レール３３の室外面との隙間が０．５〜１．５ｍｍに設定されている。
従って、風で巻き上げられた雨水等の多くは、水切りフィン材６５ｂに衝突しその運動エネルギーを失い、内障子走行レール上方空間内への浸入を防止することができる。
ここで、内障子走行レール上方空間とは、縦断面で見た場合に、室外側垂下片６３ｂと、下部繋ぎ片１０２ｂと、室内側垂下片６３ｂと、内障子走行レール３３と、基板部３１と、室内側立上がり片３４とで囲まれる内障子走行レール３３上の空間をいう。
さらに、水切りフィン材６５ｂの先端と内障子走行レール３３の室外面との隙間が０．５〜１．５ｍｍに設定されているため、内障子走行レール上方空間が等圧空間になる。そのため、水切りフィン材６５ｂに衝突することなく、内障子走行レール上方空間に浸入した雨水等はその自重で内障子走行レール上方空間に落下し、後述する内障子走行レール３３の下部に形成された内レール水抜き孔６７ａ（図示省略）、タイト材保持部３５を貫通して形成された下方水抜き孔６７ｂ（図示省略）を通り、最終的には外障子走行レール３２に形成された排水孔３８（図示省略）を通って室外に排出される。
【００３４】
水切りフィン６５ｂの先端と内障子走行レール３３の室外面との隙間が０．５ｍｍ以下の場合、隙間が小さく内障子走行レール上方空間を等圧空間に維持することが困難となる。
一方、水切りフィン６５ｂの先端と内障子走行レール３３の室外面との隙間が１．５ｍｍ以上の場合、風で巻き上げられた雨水等との衝突が少なくなり内障子走行レール上方空間への雨水等の浸入を十分防止することができなくなる。
【００３５】
タイト材保持部３５の先端部には、左右方向に室外側下枠タイト材ホルダー３７ａを形成し、室外側下枠タイト材３７ｂを取付けている。室外側下枠タイト材３７ｂは、外障子２の下框６０ａの室内側垂下片６３ａの室内面に摺接する。
従って、外障子２と下枠３０とは室外側下枠タイト材３７ｂにより水密ラインを形成し、室外の雨水等の室内への浸透を防止する。
【００３６】
外障子２の下框６０ａの室外側垂下片６３ａの室内面には、水切りフィン材ホルダー６４ａを形成し、水切りフィン材６５ａが取付けられ、水切りフィン材６５ａの先端と外障子走行レール３２の室外面との隙間が０．５〜１．５ｍｍに設定されている。
従って、風で巻き上げられた雨水等の多くは、水切りフィン材６５ａに衝突しその運動エネルギーを失い、外障子走行レール上方空間内への浸入を防止することができる。
ここで、外障子走行レール上方空間とは、縦断面で見た場合に、室外側垂下片６３ａと、下部繋ぎ片１０２ａと、室内側垂下片６３ａと、外障子走行レール３２と、基板部３１と、内障子走行レール３３と、タイト材保持部３５とで囲まれるなる外障子走行レール３３上の空間をいう。
さらに、水切りフィン材６５ａの先端と外障子走行レール３２の室外面との隙間が０．５〜１．５ｍｍに設定されているため、外障子走行レール上方空間が等圧空間になる。そのため、水切りフィン材６５ａに衝突することなく、外障子走行レール上方空間に浸入した雨水等はその自重で外障子走行レール上部空間に落下し、外障子走行レール３２の下部に形成された排水孔３８から室外に排出される。
【００３７】
水切りフィン６５ａの先端と外障子走行レール３２の室外面との隙間が０．５ｍｍ以下の場合、隙間が小さく外障子走行レール上方空間を等圧空間に維持することが困難となる。
一方、水切りフィン６５ａの先端と外障子走行レール３２の室外面との隙間が１．５ｍｍ以上の場合、風で巻き上げられた雨水等との衝突が少なくなり外障子走行レール上方空間への雨水等の浸入を十分防止することができなくなる。
【００３８】
（水抜き孔カバー）
図４は、内障子の室外側斜視図であり、図５は、同召し合せ框の室外側拡大斜視図であり、図６は、水抜き孔カバーの取付け外観図であり、図７は、水抜き孔カバーの外観図である。
【００３９】
図６に示すように、召し合せ框８０ｂの近傍で、内外障子２，３が閉じられた際に外気に直接臨む位置の内障子走行レール３３の下部には内レール水抜き孔６７ａが形成され、タイト材保持部３５には、内レール水抜き孔６７ａと実質的に同位置に下方水抜き孔６７ｂが形成されている。
内障子走行レール上方空間に浸入した雨水等は、内レール水抜き孔６７ａ、下方水抜き孔６７ｂを通り外障子走行レール上方空間に排出され、召し合せ框８０ａの近傍の外障子走行レール３２の下部に設けられた排水孔３８から室外に排出される。
【００４０】
内レール水抜き孔６７ａ及び下方水抜き孔６７ｂの形状については、特に制限はないが、排水性の観点から略長方形状の孔を形成するのが好適であり、内障子走行レール３３には、戸車６６ｂを介し内障子３の自重が加わるため、内レール水抜き孔６７ａは、下方水抜き孔６７ｂに比較し、小さな略長方形状の孔を形成されている。
また、内障子走行レール３３の内レール水抜き孔６７ａを形成する位置については、特に制限はないが、戸車６６ｂの外側であって、召し合せ框８０ｂの近傍の内障子走行レール３３の下部に形成するのが好適である。
すなわち、内障子３の自重は、戸車６６ｂを介して内障子走行レール３３に加わる。この際、内障子３の自重を内レール水抜き孔６７ａが形成されていない内障子走行レール３３で支持することができ強度的に優れ、内障子走行レール上方空間の両側部に貯まった雨水等を迅速に排出できる。  
【００４１】
タイト材保持部３５の下方水抜き孔６７ｂを形成する位置についても、特に制限はないが、内障子走行レール３３の内レール水抜き孔６７ａと実質的に同位置に形成した場合、後述する水抜き孔カバー６８を小さくすることができ外観上に優れる。
【００４２】
図４及び図５に示すように、内障子走行レール３３の内レール水抜き孔６７ａと、タイト材保持部３５の下方水抜き孔６７ｂには、水抜き孔カバー６８が取付けられている。
【００４３】
図７に示すように、水抜き孔カバー６８は、雨水等が内レール水抜き孔６７ａ、下方水抜き孔６７ｂの通過を防止しないように内部が中空になっている。また、水抜き孔カバー６８の外周面には内レール水抜き孔６７ａに係合する差込み片６９ａと、下方水抜き孔６７ｂに係合する差込み片６９ｂ、６９ｃが各々３箇所形成されており、さらに、差込み片６９ｂの先端には外方に向かう脱落防止片１０３が設けられている。
水抜き孔カバー６８の材質は、特に制限されず、金属材料、樹脂材料を用いることができるが、耐候性、係合性の観点からポリアミドが好適である。
水抜き孔カバー６８で、内障子走行レール３３の内レール水抜き孔６７ａと、タイト材保持部３５の下方水抜き孔６７ｂを共通に覆うことにより、特に、雨水等が内障子走行レール３３の内レール水抜き孔６７ａから内障子走行レール上方空間に浸入することを防止することができる。
また、差込み片６９ｂの先端には外方に向かう脱落防止片１０３が設けられいることから、台風のような暴風時においても水抜き孔カバー６８が外れる虞がない。
【００４４】
（召し合せ框）
図３に示すように、外障子２の召し合せ框８０ａの室内面８２には、煙返し８３ａと、その内側に突出片８５が形成されている。
内障子３の召し合せ框８０ｂの室外面８１には、堅タイト材８４ｂを取付ける堅タイト材ホルダー８４ａと、その内側に気密ブロック８６と、その内側に煙返し８３ｂと、その内側に中空部９２が形成されている。
【００４５】
外障子２の煙返し８３ａと内障子３の煙返し８３ｂとは、外障子２と内障子３を閉じた状態で係合する。
従って、外障子２に加わる風圧を、方立てが小さい外障子２の召し合せ框８０ａと方立てが大きい内障子３の召し合せ框８０ｂとで受けることができる。
【００４６】
外障子２の召し合せ框８０ａに突出片８５が形成されている。従って、雨水等の多くは、突出片８５に衝突しその運動エネルギーを失い、雨水等の召し合せ框空間への浸入を防止することができる。
ここで、召し合せ框空間とは、外障子２の召し合せ框８０ａの室内面８２と、突出片８５と、堅タイト材８４ｂと内障子３の召し合せ框８０ｂの室外面８３とで囲まれる空間をいう。
さらに、外障子２の召し合せ框８０ａに突出片８５が形成されていることから、外障子２と内障子３との隙間をなくしており、バール等が差し込まれる虞もなく、防犯性を向上させている
【００４７】
上下方向の堅タイトホルダー８４ａには、堅タイト材８４ｂが取付けている。本発明のシール手段としての堅タイト材８４ｂは外障子２と内障子３を閉じた状態で、外障子２の召し合せ框８０ａの室内面８２に摺接する。
従って、外障子２の召し合せ框８０ａと内障子３の召し合せ框８０ｂとは、堅タイト材８４ｂにより水密ラインを形成し、召し合せ框空間に浸入した雨水等の室内への浸透を防止する。
【００４８】
図４及び図５に示すように、堅タイト材ホルダー８４ａの内側の開口部９１の下部には、本発明のシール手段としての気密ブロック８６が取付けられ、堅タイト材ホルダー８４ａと気密ブロック８６とは下部において密接し水密ラインを形成し、召し合せ框空間に浸入した雨水等の室内への浸透を防止する。
図８に示すように、気密ブロック８６は、内障子走行レール３３に嵌合する嵌合溝８７と、水平基板３５に摺接する下面部８８と、外障子２の召し合せ框８０ａの室内面８２に摺接する室外面部８９を有し、下面部８８と室外面部８９とには、ヒダ９０が設けられている。
内障子走行レール３３に嵌合する嵌合溝８７の幅寸法は、内障子走行レール３３の幅寸法に対し、気密性の観点からマイナス公差になっている。また、気密ブロック８６の材質は、特に制限はなく、ゴム材料、樹脂材料を用いることができるが気密性の観点からがポリプロピレンが好適である。
従って、気密ブロック８６と内障子走行レール３３及び水平基板３５とは、気密ブロック８６の下面部８８により水密ラインを形成し、召し合せ框空間に浸入した雨水等の室内への浸透を防止する。
さらに、気密ブロック８６と内障子３の召し合せ框８０ｂの室内面８２の下部とは、気密ブロック８６の室外面部８９により水密部を形成し、召し合せ框空間に浸入し、召し合せ框空間に貯まった雨水等の室内への浸透を防止する。
【００４９】
図４及び図５に示すように、開口部９１の内側には中空部９２が設けられている。中空部９２の下面に位置するタイト材保持部３５には切欠部９３が形成され、中空部９２の内部には等圧ゴム９４（図示省略）が取付けられている。
タイト材保持部３５の切欠部９３の切欠き位置は、特に制限はなく、切欠部９３が中空部９２の内部と重なる位置に形成されればよいが、中空部９２の内部空間を緩衝空間と利用する観点から、中空部９２の内部の鉛直下方位置に形成するのが特に好適である。
従って、タイト材保持部３５の切欠部９３を介し、外気と中空部９２の内部は連通することになり、中空部９２の内圧は外気圧と等圧にすることができる。
【００５０】
タイト材保持部３５の切欠部９３が小さく、外気と中空部９２の内部の連通が十分確保でない場合には、中空部９２の内圧が大気圧より低い、いわゆる中圧になる虞があるが想定される。しかし、中空部９２の内部の等圧ゴム９４の取付け位置を調整することができ、中空部９２の内圧を外気と等圧に維持することができる。
【００５１】
よって、外障子２の召し合せ框８０ａの室内面８２と、突出片８５と、堅タイト材８４ｂと内障子３の召し合せ框８０ｂの室外面８３とで囲まれる召し合せ框空間に、さらなる中空部９２の圧力緩衝空間を備えることにより大きな等圧空間を設けることができ、突出片８５を飛び越えて等圧空間に浸入した雨水等は、等圧空間内で、自重により等圧空間の下方に自然落下し等圧空間内に貯まる。
そして、前述した堅タイト材８４ｂ、気密ブロック８６により、等圧空間内に貯まった雨水等の室内への浸透を防止される。
【００５２】
（内障子の框の取付け）
図９は、内障子の室内側斜視図であり、図１０は、内障子の下枠と召し合せ框との取付け部の斜視図であり、図１１は、内障子の下枠と戸先框との取付け部の斜視図である。
前述したように、内障子３は、上框５０ｂと、下框６０ｂと、戸先框７０ｂと、召し合せ框８０ｂとを四周框組みした框部にガラスパネル４ｂを嵌め込んで形成している。
内障子３の下框６０ｂには、ガラスパネル４ｂを挿嵌する一対の立上がり片５２ａ，５２ｂと、それらを繋ぐ上部繋ぎ片１０１が形成され、戸車６６ｂを保持する一対の垂下片５３ａ，５３ｂと、それらを繋ぐ下部繋ぎ片１０２ｂが形成されている。
また、立上がり片５２ａ，５２ｂと垂下片５３ａ，５３ｂは連結片６１ａ，６１ｂで一体的に形成され、室内側立上がり片５２ｂが室内側垂下片５３ｂより室内側に偏位している。
【００５３】
図９及び図１０に示すように、下框６０ｂと召し合せ框８０ｂとの取付けは、召し合せ框８０ｂに形成された嵌合凹部９９ａに、下框６０ｂに形成された嵌合凸部１００ａを嵌め込み、下框６０ｂに形成されたビスホール９５ａ、９５ｂ、９５ｃに対向する位置に形成されたに召し合せ框８０ｂのネジ孔からそれぞれ取付ネジ９６を挿入し、ビスホール９５ａ、９５ｂ、９５ｃに取付ネジ９６を締結することにより行う。
さらに、締結後、召し合せ框８０ｂのネジ孔に保護キャップ９７を嵌め込み、ネジ孔をめくらにする。
【００５４】
上部ビスホール９５ａ、９５ｂは、下框６０ｂの立上がり片５２ａ，５２ｂを繋ぐ上部繋ぎ片１０１に形成され、下部ビスホール９５ｃは、下框６０ｂの垂下片５３ａ，５３ｂを繋ぐ上部繋ぎ片１０２ｂに形成されており、上部ビスホール９５ａはガラスパネルの厚み方向中心線より室内側に、上部ビスホール９５ｂ、下部ビスホール９５ｃは内障子走行レール３３の延長線上に形成されている。
【００５５】
また、召し合せ框８０ｂの下部には、召し合せ框８０ｂの内部に結露した水分の室内側への流出を防止し、召し合せ框８０ｂの端部のデザイン性を向上させるためプルバーキャップ１０４が挿嵌されている。
プルバーキャップ１０４のビスホール９５ａに対向する箇所を切欠いた切欠部１０５を形成し、取付ネジ９６により下框６０ｂと召し合せ框８０ｂとを直接締結することにより、下框６０ｂと召し合せ框８０ｂとをさらに強固に締結している。
【００５６】
図１１に示すように、下框６０ｂと戸先框７０ｂとの取付けは、戸先框７０ｂに形成された嵌合凹部９９ｂに、下框６０ｂに形成された嵌合凸部１００ｂを嵌め込み、下框６０ｂに形成されたビスホール９８ａ、９８ｂ、９８ｃに対向する位置に形成されたに戸先框７０ｂのネジ孔からそれぞれ取付ネジ９６を挿入し、ビスホール９８ａ、９８ｂ、９８ｃに取付ネジ９６を締結することにより行う。
【００５７】
上部ビスホール９８ａ、９８ｂは、下框６０ｂの上部繋ぎ片１０１に形成され、下部ビスホール９８ｃは、下框６０ｂの下部繋ぎ片１０２ｂに形成されており、上部ビスホール９８ａはガラスパネルの厚み方向中心線より室内側に、上部ビスホール９８ｂ、下部ビスホール９８ｃは内障子走行レール３３の延長線上に形成されている。
なお、ビスホール９５ａ、９５ｂ、９５ｃ及びビスホール９８ａ、９８ｂ、９８ｃは、下框６０ｂの両側部にそれぞれ形成されるものでも、下框６０ｂの全長にわたり一体的に形成されるものであっても良い。
【００５８】
なお、上框５０ｂと召し合せ框８０ｂとの取付け、上框５０ｂと戸先框７０ｂとの取付けは、下框６０ｂと召し合せ框８０ｂ等の取付けと同様であり説明は省略する。
【００５９】
従って、台風のような暴風が、内外障子２、３のガラスパネル４ａ，４ｂに加わった際に生じる曲げ応力、ねじり応力等の大きな変形応力によっても、内障子３の下框６０ｂと戸先框７０ｂとの嵌合面（９９ｂ，１００ｂ）、下框６０ｂと召し合せ框８０ｂとの嵌合面（９９ａ、１００ａ）に隙間を生じさせることがなく、雨水等の侵入を防止し水密性能が高い。
【００６０】
すなわち、内外障子２，３を閉めた際に、暴風を受けるガラスパネル４ａ，４ｂの面積が最も大きくなり、暴風がガラスパネル４ａ，４ｂに与えた力は、ガラスパネル４ａ，４ｂが嵌挿された框、そして、框が嵌挿された窓枠１に作用する。
この際、上框５０ａ，５０ｂと、下框６０ａ，６０ｂと、戸先框７０ａ，７０ｂは、間接的ではあるが上枠２０と、下枠３０と、竪枠４０ａ，４０ｂとを介し外壁と嵌合していることから、外壁から反力を受け変形量は小さい。
【００６１】
一方、内外障子２，３の召し合せ框８０ａ，８０ｂは、外壁と嵌合していないことから暴風により加えられる変形応力の影響を直接受け、大きな変形量が生じる。また、特に、内障子３の召し合せ框８０ｂは、外障子２の召し合せ框８０ａと煙返し８３ａ，８３ｂで係合していることから、室内側への凸状変形、側外方向に開口変形が大きく、内障子３の下框６０ｂと召し合せ框８０ｂとの嵌合面（９９ａ、１００ａ）に隙間が生じ易い。
【００６２】
しかし、内障子３の下框６０ｂの上部繋ぎ片１０１に上部ビスホール９５ａ，９５ｂを形成し、内障子３の召し合せ框８０ｂと締結していることから、いわゆる梁長さを短くすることができ内障子３の召し合せ框８０ｂの室内側への凸状変形量を抑制することができる。
また、内障子３の下枠６０ｂの上部繋ぎ片１０１に形成された上部ビスホール９５ａをガラスパネル４ｂの厚み方向中心線より室内側に形成していることから、側外方向に開口変形する変形の中心軸と上部ビスホール９５ａとの間の距離を長くすることができる。
なお、ガラスパネルの厚み方向中心線とは、図１に示すように２層のガラスパネルを有する場合、最内層のガラスパネルの室内面と、最外層のガラスパネルの室外面がなす厚み方向の中心をいう。
従って、召し合せ框８０ｂを側外方向に開口変形させるねじりモーメントに対し反対モーメントを作用させ、ねじりモーメントを打ち消すことができ、召し合せ框８０ｂの側外方向に開口変形する変形量を抑制することができる。
よって、内障子３の下框６０ｂと召し合せ框８０ｂとの嵌合面（９９ａ、１００ａ）に隙間を生じさせることがなく、雨水等の侵入を防止し水密性能に優れる外部開口用サッシを提供することができる。
さらに、図示は省略するが、上部ビスホール９５ａをガラスパネル４ｂより室内側に形成した場合、側外方向に開口変形する変形の中心軸と上部ビスホール９５ａとの間の距離をさらに長くすることができるためより好適である。
【００６３】
また、内障子３の戸先框７０ｂは、竪枠４０ｂを介し間接的に外壁に嵌合していることから変形量は小さいが、内障子３の召し合せ框８０ｂと同様に、内障子３の下框６０ｂと戸先框７０ｂとの嵌合面（９９ｂ，１００ｂ）に隙間を生じさせることがなく、雨水等の侵入を防止し水密性能に優れる外部開口用サッシを提供することができる。
【００６４】
なお、本発明の水密構造は、引き違い障子に限らず、片引きサッシの片引き障子又は引き分けサッシの引き分け障子の召し合せ框にも適用できることは言うまでもない。    
【図面の簡単な説明】
【００６５】
【図１】外部開口用サッシにおける引き違い障子の縦断面図である。
【図２】外部開口用サッシにおける引き違い障子の下部拡大縦断面図である。
【図３】外部開口用サッシにおける引き違い障子の横断面図である。
【図４】内障子の室外側斜視図である。
【図５】内障子の召し合せ框の室外側拡大斜視図である。
【図６】水抜き孔カバーの取付け外観図である。
【図７】（ａ）は水抜き孔カバーの正面図、（ｂ）は同右側面図である。
【図８】（ａ）は気密ブロック左側面図、（ａ）は同正面図である。
【図９】内障子の室内側斜視図である。
【図１０】内障子の下枠と召し合せ框部の取付部の斜視図である。
【図１１】内障子の下枠と戸先框の取付部の斜視図である。
【符号の説明】
【００６６】
１…窓枠、２…外障子、３…内障子、４ａ，４ｂ…ガラスパネル、２０…上枠、２１…外側基板、２２…室内側垂下片、２３…中間垂下片、２４…内障子走行溝、２５…室外側垂下片、２６ａ，２７ａ…上枠タイト材ホルダー、２６ｂ，２７ｂ…上枠タイト材、３０…下枠、３１…基板部、３２…外障子走行レール、３３…内障子走行レール、３４…室内側立上がり片、３５…タイト材保持部、３６ａ…室内側下枠タイト材ホルダー、３６ｂ…室内側下枠タイト材、３７ａ…室外側下枠タイト材ホルダー、３７ｂ…室外側下枠タイト材、３８…排水孔、４０ａ，４０ｂ…竪枠、５０ａ，５０ｂ…上框、５２ａ，５２ｂ…立上がり片、５３ａ，５３ｂ…垂下片、６０ａ，６０ｂ…下框、６１ａ，６１ｂ…連結片、６２ａ，６２ｂ…立上がり片、６３ａ，６３ｂ…垂下片、６４ａ，６４ｂ…水切りフィン材ホルダー、６５ａ，６５ｂ…水切りフィン材、６６ａ，６６ｂ…戸車、６７ａ…内レール水抜き孔，６７ｂ…下方水抜き孔、６８…水抜き孔カバー、６９ａ，６９ｂ，６９ｃ…差込み片、７０ａ，７０ｂ…戸先框、８０ａ，８０ｂ…召し合せ框、８１…室外面、８２…室内面、８３ａ，８３ｂ…煙返し、８４ａ…堅タイト材ホルダー、８４ｂ…堅タイト材、８５…突出片、８６…気密ブロック、８７…嵌合溝、８８…下面部、８９…室外面部、９０…ヒダ、９１…開口部、９２…中空部、９３…切欠部、９４…等圧ゴム、９５ａ，９５ｂ，９５ｃ…ビスホール、９６…取付ネジ、９７…保護キャップ、９８ａ，９８ｂ，９８ｃ…ビスホール、９９ａ，９９ｂ…嵌合凹部、１００ａ，１００ｂ…嵌合凸部、１０１…上部繋ぎ片、１０２ａ，１０２ｂ…下部繋ぎ片、１０３…脱落防止片、１０４…プルバーキャップ、１０５…切欠き部
【図１】
0005225717.tif 000002
【図２】
0005225717.tif 000003
【図３】
0005225717.tif 000004
【図４】
0005225717.tif 000005
【図５】
0005225717.tif 000006
【図６】
0005225717.tif 000007
【図７】
0005225717.tif 000008
【図８】
0005225717.tif 000009
【図９】
0005225717.tif 000010
【図１０】
0005225717.tif 000011
【図１１】
0005225717.tif 000012